(57)【要約】【課題】メカニカルキーが不用意にキー収納ケースから脱落することのないキー装置の提供を目的とする。【解決手段】キー収納ケース１とメカニカルキー２のいずれか一方に配置された係止用ピース３を他方に形成された被係止部４に係脱させてメカニカルキー２をキー収納ケース１に着脱可能に収納するキー装置であって、  操作部への操作によりロック状態とロック解除状態との間を遷移し、ロック状態において前記係止用ピース３の係止解除方向への移動を規制するとともに、  係止用ピース３の被係止部４への係止解除方向と異なる方向をロック解除状態への操作部の操作方向に含むロック部５を備える。【選択図】  図３
2008082022.tif 000002
【特許請求の範囲】
【請求項１】
キー収納ケースとメカニカルキーのいずれか一方に配置された係止用ピースを他方に形成された被係止部に係脱させてメカニカルキーをキー収納ケースに着脱可能に収納するキー装置であって、
操作部への操作によりロック状態とロック解除状態との間を遷移し、ロック状態において前記係止用ピースの係止解除方向への移動を規制するとともに、
係止用ピースの被係止部への係止解除方向と異なる方向をロック解除状態への操作部の操作方向に含むロック部を備えたキー装置。
【請求項２】
前記ロック部は、係止用ピースに保持され、一端を操作部として長手方向に沿ってロック位置とロック解除位置との間を移動するロック杆を備え、
前記ロック杆と係止用ピースとを係止用ピースの係脱操作方向に連結して前記ロック杆の操作部への操作により係止用ピースの係脱操作を行う請求項１記載のキー装置。
【請求項３】
前記ロック杆は、スプリングにより付勢されて係止用ピースを保持するハウジングから操作部が飛び出すロック解除位置と、ロック解除位置から押し込まれたロック位置との間を移動可能であり、
かつ、ロック杆は、押し込み操作毎に係止動作と係止解除動作を繰り返すダブルノック機構部によりロック位置に保持される請求項２記載のキー装置。
【請求項４】
前記ダブルノック機構部は、
ロック杆の側壁に形成されたカム面と、
カム面に向けて付勢されて回転自在で、カム面側に突条を突設させた回転カムとを有し、
前記カム面には、
ロック杆が押し下げストローク終端位置近傍まで押し下げ操作された際に回転カムの突条に干渉して突条が斜め姿勢となるように回転カムを所定角度回転駆動する作動突部と、
ロック杆の押し下げストローク終端位置から上昇する際に突条に干渉して突条が水平姿勢をとるように回転カムを回転させる姿勢矯正突部と、
作動突部との間に突条が斜め姿勢のとき通過可能で、水平姿勢のとき落ち込む溝部を隔てて配置され、溝部に落ち込んだ突条を係止してロック杆をロック位置に保持するロック位置係止突部と、
ロック位置からのロック杆の押し下げ動作に伴って回転カムを係止解除方向に並進移動させる係止解除用傾斜面と、
が形成される請求項３記載のキー装置。
【請求項５】
施錠部との電子的認証のための交信手段を内蔵したキー収納ケースに着脱自在に収納されるメカニカルキーであって、
ブレード部の一端に固定されるキーヘッド部に移動自在に保持され、キー収納ケースに形成される被係止部に係脱する係止用ピースと、
操作部への操作によりロック状態とロック解除状態との間を遷移し、ロック状態において前記係止用ピースの係止解除方向への移動を規制するとともに、係止用ピースの被係止部への係止解除方向と異なる方向をロック解除状態への操作部の操作方向に含むロック部と、
を有するメカニカルキー。
【発明の詳細な説明】
【技術分野】
【０００１】
本発明は、キー装置に関するものである。
【背景技術】
【０００２】
キー収納ケースにメカニカルキーを収容したキー装置としては、特許文献１に記載のものが知られている。この従来例において、キー装置の本体（キー収納ケース）には収容部に挿入されるエマージェンシーキー（メカニカルキー）を係止するための回動部材が装着される。回動部材は捩りコイルバネによりメカニカルキーとの係止方向に付勢されており、メカニカルキーは挿入動作により自動的に回動部材に係止されて抜去が規制される。
【０００３】
また、メカニカルキーの使用は、一旦回動部材を捩りコイルバネの付勢力に抗して回転させて係止を解除した後、本体から引き抜いて行われる。
【特許文献１】特開２００５-２１３９３２号公報
【発明の開示】
【発明が解決しようとする課題】
【０００４】
しかし、上述した従来例において、メカニカルキーのキー収納ケースから脱落を防止している回動部材は、捩りコイルバネの付勢力によってのみ係止位置に保持されているために、不用意なメカニカルキーの脱落が発生しやすいという問題がある。
【０００５】
すなわち、例えばキー装置を過って床に落とす等してキー装置に衝撃力が加えられた場合、回動部材に発生する慣性力、あるいは衝撃力がメカニカルキーとの係止解除方向に一致すると、回動部材はメカニカルキーに対する係止解除方向に回転し、メカニカルキーがキー収納ケースから脱離してしまう。
【０００６】
本発明は、以上の欠点を解消すべくなされたものであって、メカニカルキーが不用意にキー収納ケースから脱落することのないキー装置の提供を目的とする。また、本発明の他の目的は、キー収納ケースから容易に脱落することのないメカニカルキーの提供にある。
【課題を解決するための手段】
【０００７】
キー装置は、キー収納ケース１にメカニカルキー２を取り出し可能に収容して形成される。キー収納ケース１とメカニカルキー２のいずれか一方には、他方に形成された被係止部４に係脱し、係止状態において双方の連結状態を保持する係止用ピース３が係脱操作可能に配置される。係止用ピース３が係止状態にあるときには、ロック部５をロック状態にすることにより係止解除方向への移動が規制される。
【０００８】
係止用ピース３の係止解除操作方向と異なった操作方向への操作によりロック解除されるロック部５により係止用ピース３を拘束する本発明において、衝撃力がキー装置に加えられた場合であっても、係止用ピース３とロック部５の双方に同時に解除方向の力が発生することはないために、不用意にメカニカルキー２とキー収納ケース１との連結が解除されることがない。
【０００９】
ロック部５への操作部は、係止ピースへの操作部と別個に設けることも可能であるが、
前記ロック部５は、係止用ピース３に保持され、一端を操作部として長手方向に沿ってロック位置とロック解除位置との間を移動するロック杆６を備え、
前記ロック杆６と係止用ピース３とを係止用ピース３の係脱操作方向に連結して前記ロック杆６の操作部への操作により係止用ピース３の係脱操作を行うように構成した場合には、構造を簡単にし、かつ、操作性も良好にできる。
【発明の効果】
【００１０】
本発明によれば、不用意にメカニカルキーとキー収納ケースが分離することがないために、使い勝手が向上する。
【発明を実施するための最良の形態】
【００１１】
図１に車両用キー装置として構成された本発明の実施の形態を示す。この実施の形態において、キー装置は、キー収納ケース１に形成されたキー収納部１８内にメカニカルキー２を収容して形成される。キー収納ケース１には、車両側に設けられた認証手段に対する交信手段が実装された回路基板１ａが収容される。
【００１２】
キー収納部１８はキー収納ケース１の上面に開放されるヘッド収容部１８ａを備え、ヘッド収容部１８ａの底壁には、下方に向けて延びるブレード収容部１８ｂが形成される。ブレード収容部１８ｂは、キー収納ケース１内の上記回路基板１ａの実装スペースを狭めないようにキー収納ケース１の側面近傍に形成され、ヘッド収容部１８ａのブレード収容部１８ｂ形成端と反対端には、段差状の被係止部４が形成される。
【００１３】
メカニカルキー２は、上記キー収納ケース１の回路基板１ａと車両側の認証手段との間の電子的認証にトラブルが発生した場合に備えるもので、ブレード部１６の上端にキーヘッド部１７を固定して形成される。ブレード部１６には、車両側に設けられたシリンダ錠のタンブラを機械的に移動させてシリンダ錠に対する操作を可能にするための解錠コードが形成される。
【００１４】
図２に示すように、キーヘッド部１７は、ブレード部１６の上端部から側方に延設されており、このキーヘッド部１７をハウジングとして係止用ピース３が挿入される。係止用ピース３を挿入するために、キーヘッド部１７には、延長側先端面に開放されるピース収容孔１９が横向きに開設され、係止用ピース３は、一端面に形成された係止突部３ａを前方（以後、本明細書において、ピース収容孔１９が開口される側を「前方」、ピース収容孔１９の奥行き壁側を「後方」とする。）に向けた姿勢でピース収容孔１９に移動自在に挿入される。上記係止突部３ａの下端面は、ブレード収容部１８ｂの開口端辺縁に上方から当接した際に後方への水平分力が発生するように、前方に行くに従って漸次高さが高くなる傾斜面により形成される。
【００１５】
また、係止用ピース３には、上下に貫通する矩形断面のロック杆挿通孔３ｂが開設され、ロック杆６が上下移動自在に挿入される。ロック杆６は、矩形断面形状を有する杆体で、キーヘッド部１７のピース収容孔１９の天井壁に開設された矩形孔１９ａからキーヘッド外部に引き出される。矩形孔１９ａはロック杆６が前後に移動可能なように、前後に長い矩形形状を有しており、ロック杆６を矩形孔１９ａの前端縁に当接させた状態で、係止用ピース３は、図２（ｂ）に示すように、係止突部３ａがキーヘッド部１７の前端面から突出する係止位置に位置する。
【００１６】
さらに、係止用ピース３には、後端に開放する横穴３ｃが開設され、回転カム１０が挿入される。回転カム１０は円板部１０ａの前端面に一文字状の突条９を有し、円板部１０ａ外周を横穴３ｃの内壁にガイドされて回転自在、かつ、前後方向移動自在に保持される。この回転カム１０は、圧縮スプリング１０ｂにより前方に付勢され、突条９の先端がロック杆６の側壁面に圧接する。
【００１７】
一方、キーヘッド部１７には、係止位置にあるロック杆６が嵌合可能なロック凹部２０が形成される。ロック凹部２０内には、先端にキャップ部材２１が被せられた圧縮スプリング７が配置され、ロック杆６を上方に付勢する。図２、３に示すように、ロック杆６の下端部には、キャップ部材２１の円周壁の後ろ半分を押さえるほぼ三角形断面のキャップ押さえ６ａが突設され、係止用ピース３の下端面には、キャップ部材２１との相対移動を許容するためのキャップ通過凹部３ｄが形成される。
【００１８】
したがってこの実施の形態において、図２（ｂ）に示すように、下端面、すなわちキャップ押さえ６ａの下端面がピース収容孔１９の底壁面に一致するロック杆６の位置がロック解除位置に相当する。このロック解除位置において、矩形孔１９ａからの突出部を操作部としてロック杆６を後方に移動させると、下端部がロック凹部２０内に嵌合したキャップ部材２１を残してロック杆６と係止用ピース３が後方に移動し、図３（ａ）、（ｂ）に示すように係止突部３ａがピース収容孔１９内に没入する係止解除位置に移動する。係止解除位置において、係止突部３ａとキー収納ケース１の被係止部４との係止が解除され、メカニカルキー２を取り出すことができる。
【００１９】
これに対し、図３（ｃ）に示すように、ロック杆６をロック解除位置から押し込んだロック位置では、ロック杆６の下端部はロック凹部２０内に嵌合しているために、係止解除位置への移動操作が規制される。
【００２０】
上記ロック杆６をロック位置、およびロック解除位置に保持するために、ロック部５が設けられる。ロック部５には、ロック杆６に対する押し下げ操作毎にロック位置とロック解除位置との間を遷移するダブルノック機構が使用され、上記回転カム１０と、ロック杆６の側壁に形成されるカム面８とから構成される。
【００２１】
図４に示すように、カム面８はロック杆６の側壁に凹設され、最下部に配置される姿勢矯正用干渉部１２と、最上部に配置される作動突部１１との間にロック位置係止突部１４を配置して形成される。図４（ａ）、（ｂ）に示すように、姿勢矯正用干渉部１２は水平な棚状に形成され、前方に延設されてロック解除位置係止段部２２とされる。ロック解除位置係止段部２２は、ロック杆６がロック解除位置にあるときにカム面８側に付勢される回転カム１０の突条９が係止し、ロック凹部２０内に配置されるスプリング７の反力に抗してロック杆６をロック解除位置に保持する。
【００２２】
ロック位置係止突部１４は、ロック解除位置係止段部２２の上方に形成され、図４（ｃ）、（ｄ）に示すように、ロック杆６をロック解除位置からやや押し込むと、回転カム１０の突条９は作動突部１１との間に形成される溝部１３に落ち込んで、ロック位置係止突部１４に係止し、ロック杆６をロック位置に保持する。ロック位置係止突部１４の下面には、ロック解除位置からロック杆６を押し込んだ際に、回転カム１０を係止解除方向、すなわち後方に移動させるための傾斜面が形成される。
【００２３】
作動突部１１は、ロック杆６をロック位置からさらに押し込んだ際に回転カム１０の突条９に干渉し、回転カム１０を回転させる。ロック杆６の押し込み操作により回転カム１０を後方に移動させるために、作動突部１１とロック位置係止突部１４との間に配置される溝部１３の上端部には係止解除用傾斜面１５が形成される。回転カム１０の回転により突条９は水平姿勢から斜め姿勢となり、以後、ロック杆６への操作力を解除すると、突条９は斜め姿勢を維持してロック杆６に摺接する。
【００２４】
上記溝部１３の幅は、突条９の厚み寸法より大寸で、かつ、突条９が斜め姿勢の時の上下端寸法より小寸に形成され、さらに、ロック位置係止突部１４は、係止解除用傾斜面１５により後方に移動した突条９の移動面より前方に位置しているために、ロック杆６が上昇動作に際して突条９がロック位置係止突部１４を乗り越える状態となって、ロック位置係止突部１４に係止することはない。
【００２５】
この結果、ロック杆６は、スプリング７の復元力により突条９が姿勢矯正用干渉部１２に衝接するまで移動し、斜め姿勢の突条９は水平な姿勢矯正用干渉部１２により水平姿勢に復帰する。水平姿勢となった突条９は、前方への付勢力によりロック解除位置係止段部２２に進入し、以後、ロック解除位置に保持される。
【００２６】
なお、以上においては、ロック部５をメカニカルキー２に構成する場合を示したが、図５に示すように、キー収納ケース１側に配置することができる。この場合、キー収納ケース１がロック部５のハウジングとして利用される。
【図面の簡単な説明】
【００２７】
【図１】キー装置を示す図で、（ａ）はメカニカルキーを収納した状態を示す図、（ｂ）はメカニカルキーを取り外した状態を示す図である。
【図２】メカニカルキーを示す図で、（ａ）は分解斜視図、（ｂ）は断面図、（ｃ）は（ｂ）の２Ｃ-２Ｃ線断面図、（ｄ）は（ｃ）の２Ｄ-２Ｄ線断面図である。
【図３】ロック部の動作を示す図で、（ａ）はロック解除して係止用ピースの係止を解除した状態を示す図、（ｂ）は（ａ）の状態における図２（ｃ）に対応する図、（ｃ）はロック状態を示す図である。
【図４】カム面の動作を示す図で、（ａ）はロック解除位置にあるロック杆を示す図、（ｂ）は（ａ）の４Ｂ-４Ｂ線断面図、（ｃ）はロック位置にあるロック杆を示す図、（ｄ）は（ｃ）の状態における（ｂ）に対応する図、（ｅ）はロック杆を押し込んだ状態を示す断面図、（ｆ）は（ｅ）の状態におけるカム面と回転カムの関係を示す説明図、（ｇ）は（ｅ）から操作力を解除した状態を示す断面図、（ｈ）は（ｇ）の状態における（ｆ）に対応する図である。
【図５】本発明の他の実施の形態を示す図で、（ａ）は（ａ）はメカニカルキーを収納した状態を示す図、（ｂ）はメカニカルキーを取り外した状態を示す図である。
【符号の説明】
【００２８】
１        キー収納ケース
２        メカニカルキー
３        係止用ピース
４        被係止部
５        ロック部
６        ロック杆
７        スプリング
８        カム面
９        突条
１０      回転カム
１１      作動突部
１２      姿勢矯正用干渉部
１３      溝部
１４      ロック位置係止突部
１５      係止解除用傾斜面
１６      ブレード部
１７      キーヘッド部
【図１】
2008082022.tif 000003
【図２】
2008082022.tif 000004
【図３】
2008082022.tif 000005
【図４】
2008082022.tif 000006
【図５】
2008082022.tif 000007